(57)【要約】  冷媒が漏洩した際の制御を適切に行う空気調和機を提供する。空気調和機（１００）は、冷媒回路（１０）と、冷媒回路（１０）における冷媒の漏洩を検知する冷媒漏洩センサ（２５）と、室内熱交換器（１５）に空気を送り込む室内ファン（Ｆｉ）と、冷媒漏洩センサ（２５）によって冷媒の漏洩が検知された場合、冷媒回路１０に封入されている冷媒が可燃性であるか否かに基づいて、室内ファン（Ｆｉ）を制御する室内制御回路３２と、を備える。
2019097620.tif 000002
【特許請求の範囲】
【請求項１】
圧縮機、凝縮器、膨張弁、及び蒸発器を順次に介して、冷凍サイクルで冷媒が循環する冷媒回路と、
前記冷媒回路における冷媒の漏洩を検知する冷媒漏洩センサと、
前記凝縮器又は前記蒸発器として機能する室内熱交換器に空気を送り込む室内ファンと、
前記冷媒漏洩センサによって冷媒の漏洩が検知された場合、前記冷媒回路に封入されている冷媒が可燃性であるか否かに基づいて、前記室内ファンを制御する制御部と、を備える空気調和機。
【請求項２】
前記制御部は、前記冷媒漏洩センサによって冷媒の漏洩が検知された場合において、前記冷媒回路に封入されている冷媒が可燃性であるときには、前記室内ファンを駆動させること
を特徴とする請求項１に記載の空気調和機。
【請求項３】
前記制御部は、前記冷媒漏洩センサによって冷媒の漏洩が検知された場合において、前記冷媒回路に封入されている冷媒が可燃性であるときには、前記室内ファンを駆動させ、さらに、冷媒の漏洩を報知すること
を特徴とする請求項２に記載の空気調和機。
【請求項４】
前記制御部は、前記冷媒漏洩センサによって冷媒の漏洩が検知された場合において、前記冷媒回路に封入されている冷媒が不燃性であるときには、前記室内ファンを駆動させないこと
を特徴とする請求項１に記載の空気調和機。
【請求項５】
前記制御部は、前記冷媒漏洩センサによって冷媒の漏洩が検知された場合において、前記冷媒回路に封入されている冷媒が不燃性であるときには、前記室内ファンを駆動させずに、冷媒の漏洩を報知すること
を特徴とする請求項４に記載の空気調和機。
【請求項６】
前記制御部は、前記圧縮機の吸込側・吐出側における冷媒の過熱度に基づいて、前記冷媒回路に封入されている冷媒の種類を特定し、さらに、当該種類の冷媒が可燃性であるか否かに基づいて、前記室内ファンを制御すること
を特徴とする請求項１に記載の空気調和機。
【請求項７】
前記冷媒回路に封入されている冷媒の種類を示す信号が前記制御部に出力されるように、ユーザによって切替操作される切替部を備え、
前記制御部は、前記冷媒漏洩センサによって冷媒の漏洩が検知された場合、前記切替部から入力される前記信号に基づいて、前記室内ファンを制御すること
を特徴とする請求項１に記載の空気調和機。
【請求項８】
前記冷媒漏洩センサは、自身が検出した冷媒の濃度が所定閾値以上である場合に冷媒の漏洩を検知し、
前記制御部は、前記冷媒回路に封入されている冷媒が可燃性である場合の前記所定閾値を、前記冷媒回路に封入されている冷媒が不燃性である場合よりも小さな値に設定すること
を特徴とする請求項６又は請求項７に記載の空気調和機。
【発明の詳細な説明】
【技術分野】
【０００１】
本発明は、空気調和機に関する。
【背景技術】
【０００２】
空気調和機の冷媒回路から冷媒が漏洩した場合の対策として、例えば、特許文献１に記載の技術が知られている。すなわち、特許文献１には、冷媒の漏洩が生じた場合、制御部が室内ファンを駆動させることが記載されている。
【先行技術文献】
【特許文献】
【０００３】
【特許文献１】特開２０１６‐１９７００６号公報
【発明の概要】
【発明が解決しようとする課題】
【０００４】
特許文献１に記載の技術では、冷媒回路から冷媒が漏洩した場合、その冷媒が可燃性であるか否かに関わらず、冷媒を拡散させるために室内ファンが一律に駆動される。しかしながら、冷媒の種類（可燃性であるか否か）によっては、冷媒が漏洩しても室内ファンを駆動させる必要がないことがある。空調運転の停止中に室内ファンを不必要に駆動させることなく、ユーザにとっての快適性をさらに高めることが望まれている。【０００５】
そこで、本発明は、冷媒が漏洩した際の制御を適切に行う空気調和機を提供することを課題とする。
【課題を解決するための手段】
【０００６】
前記した課題を解決するために、本発明に係る空気調和機は、冷媒漏洩センサによって冷媒の漏洩が検知された場合、冷媒回路に封入されている冷媒が可燃性であるか否かに基づいて、室内ファンを制御する制御部を備える。
【発明の効果】
【０００７】
本発明によれば、冷媒が漏洩した際の制御を適切に行う空気調和機を提供できる。
【図面の簡単な説明】
【０００８】
【図１】本発明の第１実施形態に係る空気調和機の構成図である。
【図２】本発明の第１実施形態に係る空気調和機の室内制御回路を含む機能ブロック図である。
【図３】本発明の第１実施形態に係る空気調和機の試運転時における処理のフローチャートである。
【図４】本発明の第１実施形態に係る空気調和機の空調運転が行われていないときのフローチャートである。
【図５】本発明の第２実施形態に係る空気調和機の構成図である。
【図６】本発明の第２実施形態に係る空気調和機の制御部が実行する処理のフローチャートである。
【発明を実施するための形態】
【０００９】
≪第１実施形態≫
＜空気調和機の構成＞
図１は、第１実施形態に係る空気調和機１００の構成図である。
なお、図１では、暖房運転中に冷媒が流れる向きを実線で示し、冷房運転中に冷媒が流れる向きを破線で示している。
空気調和機１００は、冷房、暖房等の空調を行う機器である。空気調和機１００の種類は、床置き式であってもよいし、また、天埋め式や壁掛け式であってもよい。
【００１０】
図１に示すように、空気調和機１００は、冷媒回路１０と、室外ファンＦｏと、室内ファンＦｉと、阻止弁Ｖ１，Ｖ２と、を備えている。また、空気調和機１００は、前記した構成の他に、各センサ２１〜２５と、室外制御回路３１（制御部）と、室内制御回路３２（制御部）と、リモコンＲｅと、を備えている。
【００１１】
冷媒回路１０は、冷凍サイクル（ヒートポンプサイクル）で冷媒が循環する回路である。図１に示すように、冷媒回路１０は、圧縮機１１と、四方弁１２と、室外熱交換器１３と、膨張弁１４と、室内熱交換器１５と、を備えている。
【００１２】
圧縮機１１は、ガス状の冷媒を圧縮する機器である。圧縮機１１の種類は特に限定されず、スクロール式、ピストン式、ロータリ式、スクリュー式、遠心式等の圧縮機が用いられる。なお、図１では図示を省略しているが、圧縮機１１の吸込側にアキュムレータ（気液分離器）が設けられている。
【００１３】
室外熱交換器１３は、その伝熱管（図示せず）を通流する冷媒と、室外ファンＦｏから送り込まれる外気と、の間で熱交換が行われる熱交換器である。
室外ファンＦｏは、室外熱交換器１３に外気を送り込むファンであり、室外熱交換器１３の付近に設置されている。
【００１４】
室内熱交換器１５は、その伝熱管（図示せず）を通流する冷媒と、室内ファンＦｉから送り込まれる室内空気（空調対象空間の空気）と、の間で熱交換が行われる熱交換器である。
室内ファンＦｉは、室内熱交換器１５に室内空気を送り込むファンであり、室内熱交換器１５の付近に設置されている。
【００１５】
膨張弁１４は、「凝縮器」（室外熱交換器１３及び室内熱交換器１５の一方）で凝縮した冷媒を減圧する機能を有している。なお、膨張弁１４によって減圧された冷媒は、「蒸発器」（室外熱交換器１３及び室内熱交換器１５の他方）に導かれる。
【００１６】
四方弁１２は、空気調和機１００の運転モードに応じて、冷媒の流路を切り替える弁である。例えば、冷房運転時（図１の破線矢印を参照）には、圧縮機１１、室外熱交換器１３（凝縮器）、膨張弁１４、及び室内熱交換器１５（蒸発器）が、四方弁１２を介して環状に順次接続されてなる冷媒回路１０において、冷凍サイクルで冷媒が循環する。
【００１７】
また、暖房運転時（図１の実線矢印を参照）には、圧縮機１１、室内熱交換器１５（凝縮器）、膨張弁１４、及び室外熱交換器１３（蒸発器）が、四方弁１２を介して環状に順次接続されてなる冷媒回路１０において、冷凍サイクルで冷媒が循環する。このように冷媒回路１０では、圧縮機１１、「凝縮器」、膨張弁１４、及び「蒸発器」を順次に介して、冷凍サイクルで冷媒が循環するようになっている。
【００１８】
なお、図１に示す例では、圧縮機１１、四方弁１２、室外熱交換器１３、膨張弁１４、室外ファンＦｏ等が、室外機Ｈｏに設けられている。一方、室内熱交換器１５や室内ファンＦｉ等が、室内機Ｈｉに設けられている。
【００１９】
阻止弁Ｖ１，Ｖ２は、空気調和機１００の据付作業後に開弁されることで、それまで室外機Ｈｏに封入されていた冷媒を冷媒回路１０の全体に行き渡らせるための弁である。
【００２０】
吐出圧力センサ２１は、圧縮機１１から吐出される冷媒の圧力（吐出圧力）を検出するセンサであり、圧縮機１１の吐出口の付近に設置されている。
吐出温度センサ２２は、圧縮機１１から吐出される冷媒の温度（吐出温度）を検出するセンサであり、圧縮機１１の吐出口の付近に設置されている。
【００２１】
吸込圧力センサ２３は、圧縮機１１に吸い込まれる冷媒の圧力（吸込圧力）を検出するセンサであり、圧縮機１１の吸込口の付近に設置されている。
吸込温度センサ２４は、圧縮機１１に吸い込まれる冷媒の温度（吸込温度）を検出するセンサであり、圧縮機１１の吸込口の付近に設置されている。
吐出圧力センサ２１、吐出温度センサ２２、吸込圧力センサ２３、及び吸込温度センサ２４の各検出値は、室外制御回路３１に出力される。
【００２２】
冷媒漏洩センサ２５は、冷媒回路１０における冷媒の漏洩を検知するセンサであり、冷媒の漏洩を検知しやすい所定箇所に設置されている。このような冷媒漏洩センサ２５として、半導体式、赤外線式、接触燃焼式、電気化学式等の各種センサを用いることができる。
【００２３】
なお、室内機Ｈｉが床置き式である場合には、室内機Ｈｉの底板（図示せず）の上に冷媒漏洩センサ２５が設置されることが多い。例えば、室内熱交換器１５の伝熱管（図示せず）の接続箇所から冷媒が漏れ出した場合、空気よりも冷媒のほうが比重が大きいため、ガス状の冷媒が沈降して底に溜まる。そして、冷媒漏洩センサ２５は、自身が検出した冷媒の濃度が所定閾値以上である場合に冷媒漏れを検知し、さらに、冷媒漏れの検知信号を室内制御回路３２に出力するようになっている。
【００２４】
室外制御回路３１は、例えば、マイコンであり、図示はしないが、ＣＰＵ（Central Processing Unit：図示せず）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。室外制御回路３１は、各センサ２１〜２４の検出値等に基づいて、圧縮機１１、膨張弁１４、室外ファンＦｏ等を制御する。
【００２５】
室内制御回路３２は、例えば、マイコンであり、通信線（一点鎖線の矢印）を介して室外制御回路３１に接続されている。室内制御回路３２は、室外制御回路３１から受信する情報やリモコンＲｅからの信号に基づいて、室内ファンＦｉ等を制御する。
【００２６】
リモコンＲｅは、ユーザによって操作され、室内機Ｈｉに所定の赤外線信号を送信する。例えば、運転／停止、設定温度の変更、タイマの設定、運転モードの変更求等の指令信号が、リモコンＲｅから室内機Ｈｉに送信される。また、冷媒漏洩センサ２５によって冷媒漏れが検知された場合、その旨の情報が室内機ＨｉからリモコンＲｅに送信され、さらに、リモコンＲｅに表示されるようになっている。
【００２７】
なお、ビル用マルチエアコン（Variable Refrigerant Flow：ＶＲＦ）やパッケージエアコン（Packaged Air Conditioning systems：ＰＡＣ）等で用いられる集中リモコンも、リモコンＲｅに含まれるものとする。
【００２８】
図２は、空気調和機１００の室内制御回路３２を含む機能ブロック図である。
図２に示すように、室内制御回路３２は、通信部３２１と、制御部３２２と、記憶部３２３と、を備えている。
通信部３２１は、冷媒漏洩センサ２５から信号を取得したり、室外制御回路３１との間で所定のデータをやり取りしたりするためのインタフェースである。
【００２９】
制御部３２２は、冷媒回路１０に封入されている冷媒が可燃性であるか否かに基づいて、室内ファンＦｉ等を制御する機能を有している。図２に示すように、制御部３２２は、データ取得部３２２ａと、冷媒種類特定部３２２ｂと、運転制御部３２２ｃと、を備えている。
データ取得部３２２ａは、通信部３２１を介して、冷媒漏洩センサ２５や室外制御回路３１から所定のデータを取得する。データ取得部３２２ａによって取得されたデータは、記憶部３２３に格納される。
【００３０】
冷媒種類特定部３２２ｂは、例えば、圧縮機１１（図１参照）の吸込側・吐出側における冷媒の過熱度に基づいて、冷媒回路１０に封入されている冷媒の種類を特定する。なお、冷媒種類特定部３２２ｂが実行する処理については後記する。
運転制御部３２２ｃは、所定のプログラムに基づいて、室内ファンＦｉ等を制御する。
【００３１】
記憶部３２３には、データ取得部３２２ａによって取得されたデータが一時的に格納される。また、記憶部３２３には、後記する吐出過熱度の目標値や、冷媒の物性データ（凝縮温度や蒸発温度の算出に用いられるデータ）が、冷媒の種類（例えば、冷媒Ｒ４１０Ａや冷媒Ｒ３２）に対応付けて、予め格納されている。
【００３２】
＜冷媒の物性について＞
以下では、一例として、２種類の冷媒Ｒ４１０Ａ及び冷媒Ｒ３２のうち、いずれか一方が冷媒回路１０（図１参照）に封入される場合について説明する。なお、冷媒Ｒ４１０Ａは、冷媒Ｒ３２及び冷媒Ｒ１２５が混合されてなるＨＦＣ系の混合冷媒である。この冷媒Ｒ４１０Ａは、蒸気圧力が比較的高く、冷凍サイクルの高効率化を図りやすいという特長がある。
【００３３】
一方、冷媒Ｒ３２は、ＨＦＣ系の単一冷媒である。この冷媒Ｒ３２は、ＧＷＰ（Global Warming Potential：地球温暖化係数）が冷媒Ｒ４１０Ａよりも低く、地球温暖化の抑制に寄与できるという特長がある。
【００３４】
また、冷媒Ｒ３２は可燃性（微燃性）である一方、冷媒Ｒ４１０Ａは不燃性である。本実施形態では、このような冷媒物性の違い（可燃性／不燃性）を考慮して、冷媒が漏洩した場合の制御を行うようにしている。
【００３５】
なお、冷媒漏洩センサ２５によって冷媒漏れが検知されるか否かの判定基準となる所定閾値（冷媒の濃度の閾値）が、冷媒の種類によって異なる値に設定されてもよい。例えば、制御部３２２は、冷媒回路１０に封入されている冷媒が可燃性である場合の所定閾値（冷媒の濃度の閾値）を、冷媒回路１０に封入されている冷媒が不燃性である場合よりも小さな値に設定する。これによって、可燃性の冷媒の漏洩を敏感に検知できる。また、冷媒Ｒ４１０Ａ及び冷媒Ｒ３２のうちいずれが冷媒回路１０に封入されても、一つの冷媒漏洩センサ２５を用いて、冷媒の漏洩を適切に検知できる。
【００３６】
＜制御部の処理＞
図３は、空気調和機１００の試運転時における処理のフローチャートである（適宜、図１、図２を参照）。
なお、図３の「ＳＴＡＲＴ」時に、空気調和機１００の試運転が開始されるものとする。ここで「試運転」とは、空気調和機１００の据付作業が完了した後、通常の空調運転に先立って試験的に行われる運転である。また、空気調和機１００の冷媒回路１０には、冷媒Ｒ４１０Ａが封入されているか、又は、冷媒Ｒ３２が封入されているものとする（いずれの冷媒が封入されていてもよい）。
【００３７】
ステップＳ１０１において制御部３２２は、運転制御部３２２ｃによって、圧縮機１１や膨張弁１４を適宜に制御する。その一例を挙げると、制御部３２２は、圧縮機１１の吐出側における冷媒の過熱度の目標値Ｋｄ１に基づいて、圧縮機１１や膨張弁１４の制御指令値を設定し、空気調和機１００の試運転を実行する。
【００３８】
前記した「過熱度」とは、冷媒の圧力に対応する飽和温度に対して、冷媒の実際の温度が何度高いかを示す数値である。なお、圧縮機１１の吐出側における冷媒の過熱度を「吐出過熱度」という。また、圧縮機１１の吸込側における冷媒の過熱度を「吸込過熱度」という。試運転時における吐出過熱度の目標値Ｋｄ１は、冷媒Ｒ４１０Ａや冷媒Ｒ３２の物性に基づいて、予め設定されている。
【００３９】
ステップＳ１０２において制御部３２２は、現時点での吐出過熱度Ｋｄが、所定の目標値Ｋｄ１に達したか否かを判定する。例えば、制御部３２２は、冷媒Ｒ４１０Ａの物性に基づいて、吐出圧力センサ２１の検出値に対応する凝縮温度を算出する。さらに、制御部３２２は、吐出温度センサ２２の検出値から凝縮温度を減算することで、現時点での冷媒の吐出過熱度Ｋｄを算出する。つまり、制御部３２２は、冷媒Ｒ４１０Ａが冷媒回路１０に封入されていると仮定した場合の吐出過熱度Ｋｄを算出する。そして、制御部３２２は、現時点での吐出過熱度Ｋｄが、所定の目標値Ｋｄ１（冷媒Ｒ４１０Ａに対応する目標値Ｋｄ１）に達したか否かを判定する。
【００４０】
ステップＳ１０２において吐出過熱度Ｋｄが目標値Ｋｄ１に達した場合（Ｓ１０２：Ｙｅｓ）、制御部３２２の処理はステップＳ１０３に進む。一方、吐出過熱度Ｋｄが目標値Ｋｄ１に達していない場合（Ｓ１０２：Ｎｏ）、制御部３２２はステップＳ１０２の処理を繰り返す。
【００４１】
ステップＳ１０３において制御部３２２は、吸込過熱度Ｋｉが所定閾値Ｋｉ１よりも高いか否かを、冷媒種類特定部３２２ｂによって判定する。前記した所定閾値Ｋｉ１は、冷媒の種類の判定基準となる吸込過熱度の閾値であり、予め設定されている。例えば、制御部３２２は、冷媒Ｒ４１０Ａの物性に基づいて、吸込圧力センサ２３の検出値に対応する蒸発温度を求める。さらに、制御部３２２は、吸込温度センサ２４の検出値から蒸発温度を減算することで、現時点での冷媒の吸込過熱度Ｋｉを算出する。そして、制御部３２２は、吸込過熱度Ｋｉと、所定閾値Ｋｉ１と、の大小を比較する。
【００４２】
ステップＳ１０３において吸込過熱度Ｋｉが所定閾値Ｋｉ１よりも高い場合（Ｓ１０３：Ｙｅｓ）、制御部３２２の処理はステップＳ１０４に進む。
ステップＳ１０４において制御部３２２は、冷媒回路１０に封入されている冷媒が、冷媒Ｒ４１０Ａであると判定する。冷媒Ｒ４１０Ａのほうが、冷媒Ｒ３２よりも過熱蒸気になりやすいからである。このように制御部３２２は、圧縮機１１の吸込側・吐出側における冷媒の過熱度に基づいて、冷媒回路１０に封入されている冷媒の種類を特定する。
【００４３】
ステップＳ１０５において制御部３２２は、ステップＳ１０４の判定結果を記憶する。つまり、制御部３２２は、冷媒回路１０に実際に封入されている冷媒が、冷媒Ｒ４１０Ａであるという情報を記憶部３２３に格納する。
【００４４】
一方、ステップＳ１０３において吸込過熱度Ｋｉが所定閾値Ｋｉ１以下である場合（Ｓ１０３：Ｎｏ）、制御部３２２の処理はステップＳ１０６に進む。
ステップＳ１０６において制御部３２２は、冷媒回路１０に封入されている冷媒が、冷媒Ｒ３２であると判定する。冷媒Ｒ３２は、冷媒Ｒ４１０Ａよりも過熱蒸気になりにくい（気液二相の状態に留まりやすい）からである。
【００４５】
ステップＳ１０７において制御部３２２は、ステップＳ１０６の判定結果を記憶する。つまり、制御部３２２は、冷媒回路１０に実際に封入されている冷媒が、冷媒Ｒ３２であるという情報を記憶部３２３に格納する。
【００４６】
なお、試運転前は、冷媒Ｒ４１０Ａ及び冷媒Ｒ３２のうちいずれが冷媒回路１０に封入されているか、制御部３２２側では不明である。したがって、例えば、実際には冷媒Ｒ３２が冷媒回路１０に封入されていた場合において、ステップＳ１０２の吐出過熱度Ｋｄ、及びステップＳ１０３の吸込過熱度Ｋｉを算出する際、冷媒Ｒ４１０Ａの物性情報が用いられる可能性もある。
【００４７】
このような場合でも、ステップＳ１０４，Ｓ１０６の処理で誤判定が起きないように、前記した目標値Ｋｄ１（Ｓ１０２）や所定閾値Ｋｉ１（Ｓ１０３）が適宜に設定されている。そして、ステップＳ１０５又はステップＳ１０７の処理を行った後、制御部３２２は試運転時の処理を終了する（ＥＮＤ）。
【００４８】
なお、冷媒Ｒ４１０Ａと冷媒Ｒ３２との間の中間的な所定の物性情報に基づいて、制御部３２２が、吐出過熱度Ｋｄや吸込過熱度Ｋｉを算出するようにしてもよい（Ｓ１０２、Ｓ１０３）。また、図３に示す一連の処理を、室外制御回路３１（図１参照）が行うようにしてもよい。
【００４９】
図４は、空気調和機１００の空調運転が行われていないときのフローチャートである（適宜、図１、図２を参照）。
なお、図４の「ＳＴＡＲＴ」時には、空気調和機１００の試運転（図３参照）が既に完了しているものとする。ステップＳ２０１において制御部３２２は、冷媒漏洩があるか否かを判定する。すなわち、制御部３２２は、冷媒漏洩センサ２５によって冷媒回路１０における冷媒の漏洩が検知されたか否かを判定する。
【００５０】
ステップＳ２０１において冷媒漏洩がない場合（Ｓ２０１：Ｎｏ）、制御部３２２の処理は「ＳＴＡＲＴ」に戻る（ＲＥＴＵＲＮ）。一方、ステップＳ２０１において冷媒漏洩があった場合（Ｓ２０１：Ｙｅｓ）、制御部３２２の処理はステップＳ２０２に進む。
【００５１】
ステップＳ２０２において制御部３２２は、冷媒回路１０に封入されている冷媒が可燃性であるか否かを判定する。すなわち、制御部３２２は、試運転時の処理結果（図３のＳ１０４又はＳ１０６）に基づき、冷媒回路１０に封入されている冷媒が可燃性であるか否かを判定する。
【００５２】
なお、冷媒Ｒ３２が可燃性であり、また、冷媒Ｒ４１０Ａが不燃性であるというデータ（次に説明するステップＳ２０３又はＳ２０４の処理を指定するデータ）は、記憶部３２３に予め格納されている。
【００５３】
ステップＳ２０２において、冷媒回路１０に封入されている冷媒が可燃性である場合（Ｓ２０２：Ｙｅｓ）、制御部３２２の処理はステップＳ２０３に進む。すなわち、冷媒Ｒ４１０Ａ及び冷媒Ｒ３２のうち、可燃性の冷媒Ｒ３２が冷媒回路１０に封入されていると判定した場合、制御部３２２の処理はステップＳ２０３に進む。
【００５４】
ステップＳ２０３において制御部３２２は、室内ファンＦｉを駆動させ、さらに、冷媒漏洩を報知する。このように、空調運転が行われていないときでも、制御部３２２が室内ファンＦｉを駆動させることで、冷媒回路１０から漏れ出した可燃性の冷媒が拡散（攪拌）される。つまり、空調対象空間において冷媒の濃度が局所的に高くなることを抑制し、空気調和機１００の信頼性を高めることができる。また、制御部３２２がリモコンＲｅ等に冷媒漏洩が生じた旨を表示させることで、冷媒回路１０から冷媒が漏洩したことをユーザに報知できる。なお、冷媒漏洩の「報知」として、冷媒が漏洩した旨の警報を音声等で発するようにしてもよい。
【００５５】
また、ステップＳ２０２において、冷媒回路１０に封入されている冷媒が可燃性でない場合（Ｓ２０２：Ｎｏ）、制御部３２２の処理はステップＳ２０４に進む。すなわち、冷媒Ｒ４１０Ａ及び冷媒Ｒ３２のうち、不燃性の冷媒Ｒ４１０Ａが冷媒回路１０に封入されていると判定した場合、制御部３２２の処理はステップＳ２０４に進む。
【００５６】
ステップＳ２０４において制御部３２２は、冷媒漏洩を報知する。すなわち、制御部３２２は、冷媒漏洩センサ２５によって冷媒の漏洩が検知された場合において（Ｓ２０１：Ｙｅｓ）、冷媒回路１０に封入されている冷媒が不燃性であるときには（Ｓ２０２：Ｎｏ）、室内ファンＦｉを駆動させずに、冷媒の漏洩を報知する（Ｓ２０４）。
【００５７】
なお、冷媒回路１０から漏洩した冷媒が不燃性である場合には（Ｓ２０２：Ｎｏ）、空調対象空間において冷媒の濃度が局所的に高くなっても、特に問題はない。また、不燃性の冷媒が漏れても、制御部３２２が室内ファンＦｉを駆動させないことで、ユーザが違和感（空調運転が行われていないにも関わらず、室内ファンＦｉが駆動することに対する違和感）を覚えることがほとんどない。したがって、空気調和機の快適性・省エネ性を従来よりも高めることができる。
【００５８】
ステップＳ２０３又はステップＳ２０４の処理を行った後、制御部３２２の処理は「ＳＴＡＲＴ」に戻る（ＲＥＴＵＲＮ）。このようにして、制御部３２２は、図４に示す一連の処理を繰り返す。
【００５９】
なお、空調運転中に冷媒の漏洩が検知された場合には、冷媒が可燃性であるか否かに関わらず、室内ファンＦｉの駆動によって、ガス状の冷媒が拡散される。その後に空調運転が停止された後の制御については、図４を用いて説明したとおりである。
【００６０】
＜効果＞
本実施形態によれば、圧縮機１１における冷媒の吸込側・吐出側の過熱度に基づいて、冷媒回路１０に封入されている冷媒の種類を容易に特定できる。また、可燃性の冷媒が漏れ出した場合には（図４のＳ２０１：Ｙｅｓ、Ｓ２０２：Ｙｅｓ）、制御部３２２が、室内ファンＦｉを駆動させ、さらに、冷媒漏洩を報知する（Ｓ２０３）。これによって、空調対象空間で冷媒の濃度が局所的に高くなることを抑制し、また、冷媒漏洩があった旨をユーザに報知できる。
【００６１】
一方、不燃性の冷媒が漏れ出した場合には（図４のＳ２０１：Ｙｅｓ、Ｓ２０２：Ｎｏ）、制御部３２２が、室内ファンＦｉを駆動させずに、冷媒漏洩を報知する（Ｓ２０４）。これによって、室内ファンＦｉを不必要に駆動することなく、冷媒漏洩があった旨をユーザに適切に報知できる。このように本実施形態によれば、冷媒が漏洩した際の制御を適切に行う空気調和機１００を提供できる。
【００６２】
また、冷媒回路１０に封入されている冷媒の種類に応じた制御が、制御部３２によって行われるため、冷媒Ｒ４１０Ａ及び冷媒Ｒ３２のうちいずれを用いる場合でも、同機種の室内機Ｈｉを共用できる。したがって、空気調和機１００を量産する際の製造コストを従来よりも削減できる。また、例えば、冷媒回路１０に封入されている冷媒Ｒ４１０Ａを冷媒Ｒ３２に入れ替える場合でも、室内機Ｈｉを交換する必要がないため、ユーザ側のコストも削減できる。
【００６３】
≪第２実施形態≫
第２実施形態は、切替スイッチ４１（図５参照）の操作によって冷媒の種類が特定される点が、第１実施形態とは異なっている。なお、その他の点（冷媒回路１０の構成や、冷媒Ｒ４１０Ａ又は冷媒Ｒ３２の使用が予め想定されている点）については、第２実施形態と同様である。したがって、第１実施形態とは異なる部分について説明し、重複する部分については説明を省略する。
【００６４】
図５は、第２実施形態に係る空気調和機１００Ａの構成図である。
図５に示す空気調和機１００Ａは、第１実施形態で説明した構成（図１参照）に加えて、切替スイッチ４１（切替部）を備えている。切替スイッチ４１は、冷媒回路１０に封入されている冷媒の種類を示す信号が室内制御回路３２Ａ（制御部）に出力されるように、ユーザ（施工時の作業員等）によって切替操作されるスイッチである。
【００６５】
切替スイッチ４１は、例えば、室内機Ｈｉの所定箇所に設置され、ユーザの操作によって切り替えられるようになっている。その一例を挙げると、冷媒回路１０に冷媒Ｒ４１０Ａが封入されている場合、ユーザによって切替スイッチ４１がオン状態に切り替えられ、この切替スイッチ４１から室内制御回路３２Ａにオン信号が出力される。また、冷媒回路１０に冷媒Ｒ３２が封入されている場合、ユーザによって切替スイッチ４１がオフ状態に切り替えられ、この切替スイッチ４１から室内制御回路３２Ａにオフ信号が出力される。
【００６６】
室内制御回路３２Ａは、切替スイッチ４１から入力される信号に基づいて、室内ファンＦｉを制御する。この室内制御回路３２Ａの処理について、図６を用いて説明する。
【００６７】
図６は、室内制御回路３２Ａが実行する処理のフローチャートである。
なお、図６の処理は、空気調和機１００の試運転の完了後に行われる。また、試運転の際、冷媒回路１０に実際に封入された冷媒の種類に基づいて、ユーザ（作業員）が、切替スイッチ４１を適宜に操作する。
【００６８】
ステップＳ３０１において室内制御回路３２Ａは、切替スイッチ４１からオン信号が入力されているか否かを判定する。切替スイッチ４１からオン信号が入力されている場合（Ｓ３０１：Ｙｅｓ）、室内制御回路３２Ａの処理はステップＳ３０２に進む。
【００６９】
ステップＳ３０２において室内制御回路３２Ａは、切替スイッチ４１から入力されるオン信号に基づいて、不燃性の冷媒Ｒ４１０Ａに対応した制御を実行する。例えば、室内制御回路３２Ａは、空調運転の停止中、冷媒漏洩センサ２５によって冷媒の漏洩が検知された場合、室内ファンＦｉを駆動させずに、冷媒の漏洩を報知する。
【００７０】
一方、ステップＳ３０１において切替スイッチ４１からオフ信号が入力されている場合（Ｓ３０１：Ｎｏ）、室内制御回路３２Ａの処理はステップＳ３０３に進む。
ステップＳ３０３において室内制御回路３２Ａは、切替スイッチ４１から入力されるオフ信号に基づいて、可燃性の冷媒Ｒ３２に対応する制御を実行する。例えば、室内制御回路３２Ａは、空調運転の停止中、冷媒漏洩センサ２５によって冷媒の漏洩が検知された場合、室内ファンＦｉを駆動させ、さらに、冷媒の漏洩を報知する。
【００７１】
ステップＳ３０２又はステップＳ３０３の処理を行った後、室内制御回路３２Ａの処理は「ＳＴＡＲＴ」に戻る（ＲＥＴＵＲＮ）。このようにして室内制御回路３２Ａは、図６に示す一連の処理を繰り返す。
【００７２】
なお、冷媒漏洩センサ２５によって冷媒の漏洩が検知されるか否かの判定基準となる所定閾値（冷媒の濃度の閾値）を、室内制御回路３２Ａが、次のように設定してもよい。すなわち、室内制御回路３２Ａは、冷媒回路１０に封入されている冷媒が可燃性である場合の所定閾値（冷媒の濃度の閾値）を、冷媒が不燃性である場合よりも小さな値に設定する。これによって、例えば、可燃性の冷媒の漏洩を敏感に検知できる。
【００７３】
＜効果＞
本実施形態によれば、切替スイッチ４１から入力される信号に基づき、室内制御回路３２Ａによって、冷媒回路１０に封入されている冷媒の種類（冷媒Ｒ４１０Ａ又は冷媒Ｒ３２）に適した制御を行うことができる。
【００７４】
≪変形例≫
以上、本発明に係る空気調和機１００，１００Ａについて各実施形態により説明したが、本発明はこれらの記載に限定されるものではなく、種々の変更を行うことができる。
例えば、第１実施形態では、圧縮機１１の吐出側・吸込側の過熱度に基づき、制御部３２２が、冷媒回路１０に封入されている冷媒の種類を特定する処理（図３参照）について説明したが、これに限らない。すなわち、冷媒の物性等に基づく他の周知の方法を用いて、冷媒回路１０に封入されている冷媒の種類を特定するようにしてもよい。
【００７５】
また、第１実施形態では、制御部３２２（図２参照）が冷媒の種類を特定する構成について説明し、第２実施形態では、切替スイッチ４１（図５参照）が冷媒の種類を示す信号を出力する構成について説明したが、これに限らない。例えば、室外機Ｈｏと室内機Ｈｉとが電気的に接続されたとき、室外制御回路３１が、室外機Ｈｏの型式を示すデータを室内制御回路３２に送信するようにしてもよい。冷媒回路１０に封入されている冷媒の種類が、室外機Ｈｏの型式によって一意に特定されることが多いからである。そして、室内制御回路３２は、室外機Ｈｏの型式を示すデータ（冷媒の種類に対応）に基づいて、冷媒漏洩時の制御を適宜に行う。
【００７６】
また、各実施形態では、空気調和機１００において、冷媒Ｒ４１０Ａ及び冷媒Ｒ３２のうちいずれか一方が使用される場合について説明したが、これに限らない。例えば、ＨＦＣ系の冷媒、ＨＣＦＣ系の冷媒、自然冷媒等の様々な冷媒の中から任意の２種類の冷媒を管理者が事前に選択するようにしてもよい。
なお、ＨＦＣ系の冷媒には、冷媒Ｒ４１０Ａや冷媒Ｒ３２の他、冷媒Ｒ１２５、冷媒Ｒ１３４ａ、冷媒Ｒ１５２ａ、冷媒Ｒ４０４Ａ、冷媒Ｒ４０７Ｃ等が含まれる。また、ＨＣＦＣ系の冷媒には、冷媒Ｒ２２、冷媒Ｒ１２３、冷媒Ｒ１４１ｂ、冷媒Ｒ１４２ｂ、冷媒Ｒ２２５等が含まれる。また、自然冷媒には、二酸化炭素、炭化水素、水等が含まれる。
【００７７】
また、第１実施形態では、不燃性の冷媒の漏洩が検知された場合（図４のＳ２０１：Ｙｅｓ、Ｓ２０２：Ｎｏ）、制御部３２２が、冷媒の漏洩を報知する処理（Ｓ２０４）について説明したが、これに限らない。例えば、不燃性の冷媒の漏洩が検知された場合、制御部３２２が室内ファンＦｉを駆動せず、また、冷媒の漏洩を報知しないようにしてもよい。また、可燃性の冷媒の漏洩が検知された場合、制御部３２２が室内ファンＦｉを駆動させる一方で、冷媒の漏洩を報知しないようにしてもよい。
【００７８】
また、制御部３２２が、３種類以上の冷媒の中から冷媒回路１０に封入されている冷媒を特定し、特定した冷媒の種類に対応する制御を行うようにしてもよい。また、制御部３２２が、切替スイッチ４１からの情報に基づき、３種類以上の冷媒の中から冷媒回路１０に封入されている冷媒を特定し、特定した冷媒の種類に対応する制御を行うようにしてもよい。
【００７９】
また、第１実施形態では、制御部３２２が、冷媒回路１０に封入されている冷媒の種類を試運転中に判定する処理について説明したが、これに限らない。例えば、制御部３２２が、冷媒回路１０に封入されている冷媒の種類を通常の空調運転中に判定するようにしてもよい。
【００８０】
また、各実施形態では、空気調和機１００（図１参照）が１台の室内機Ｈｉを備える構成について説明したが、これに限らない。すなわち、複数台の室内機を備えるマルチ型の空気調和機にも各実施形態を適用できる。また、室内機・室外機を一体化した一体型の空気調和機にも各実施形態を適用できる。
【００８１】
また、各実施形態は本発明を分かりやすく説明するために詳細に記載したものであり、必ずしも説明した全ての構成を備えるものに限定されない。また、各実施形態の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【００８２】
１００，１００Ａ  空気調和機
１０    冷媒回路
１１    圧縮機
１２    四方弁
１３    室外熱交換器（凝縮器／蒸発器）
１４    膨張弁
１５    室内熱交換器（蒸発器／凝縮器）
２１    吐出圧力センサ
２２    吐出温度センサ
２３    吸込圧力センサ
２４    吸込温度センサ
２５    冷媒漏洩センサ
３１    室外制御回路（制御部）
３２，３２Ａ    室内制御回路（制御部）
４１    切替スイッチ（切替部）
３２１  通信部
３２２  制御部
３２３  記憶部
Ｆｉ    室内ファン
Ｆｏ    室外ファン
Ｈｏ    室外機
Ｈｉ    室内機
【図１】
2019097620.tif 000003
【図２】
2019097620.tif 000004
【図３】
2019097620.tif 000005
【図４】
2019097620.tif 000006
【図５】
2019097620.tif 000007
【図６】
2019097620.tif 000008
【国際調査報告】
2019097620.tif 000009
2019097620.tif 000010